(57)【要約】      （修正有）【課題】様々なサイズおよび種類の釣り竿の太径側をズレなくしっかりとホールドできるのに加え、釣り竿が不所望に落下するのを確実に防止することができる車載用ロッドホルダーを提供する。【解決手段】ホルダーフレーム(１２)に固定されるアーム部(１６)と、そのアーム部(１６)の下端側に一体的に連設された下クランプ部(１８)と、その下クランプ部(１８)と協働して開閉式のクランプを形成する上クランプ部(２０)とを具備する。上クランプ部(２０)は、その長手方向先端側が下クランプ部(１８)から離隔する上方へと跳ね上げられるように常時付勢される。下クランプ部(１８)の長手方向基端部近傍には、枢軸(２４)に取り付けられたラチェット歯車(２６)と、先端に設けられた爪部(２８ａ)がラチェット歯車(２６)に向けて常時付勢されるロック部材(２８)とで構成されたロック機構(２２)が設けられる。【選択図】図４
2020202769.tif 000002
【特許請求の範囲】
【請求項１】
車室内後ろ側の天井部分に横架されたホルダーフレーム(１２)に装着され、釣り竿(１４)の太径側を吊持ちする車載用ロッドホルダーであって、
その上端が上記ホルダーフレーム(１２)に固定されるアーム部(１６)と、
上記アーム部(１６)の下端側に一体的に連設され、上記ホルダーフレーム(１２)への装着状態において上記ホルダーフレーム(１２)の軸と略平行する方向に延設される下クランプ部(１８)と、
その下クランプ部(１８)の長手方向基端部において幅方向に架設された枢軸(２４)と共に回動し、上記の下クランプ部(１８)と協働して開閉式のクランプを形成する上クランプ部(２０)とを具備し、
上記の上クランプ部(２０)は、その長手方向先端側が上記の下クランプ部(１８)から離隔する上方へと跳ね上げられるように常時付勢されており、
上記の下クランプ部(１８)の長手方向基端部近傍には、上記の枢軸(２４)に固定されたラチェット歯車(２６)と、先端に設けられた爪部(２８ａ)が上記ラチェット歯車(２６)に向けて常時付勢されるロック部材(２８)とを備え、この両者を係合・離脱させることによって、上記の上クランプ部(２０)と下クランプ部(１８)との間の開度を多段階に亘って固定するロック機構(２２)が設けられる、ことを特徴とする車載用ロッドホルダー。
【請求項２】
請求項１の車載用ロッドホルダーにおいて、
前記アーム部(１６)は、前記ホルダーフレーム(１２)に固定された状態において、その下端部が平面視で上記ホルダーフレーム(１２)の軸から離隔する方向に曲成されている、ことを特徴とする車載用ロッドホルダー。
【発明の詳細な説明】
【技術分野】
【０００１】
本発明は、自動車などの車室内後ろ側の天井部分に横架されたホルダーフレームに取り付けられ、釣り竿の太径(リア)側を着脱自在に保持する車載用ロッドホルダーに関する。
【背景技術】
【０００２】
この種の車載用ロッドホルダーには、従来では、下記の非特許文献１に記載されたクランプ式のリア用ホルダーがある。その従来技術は、次のように構成されている。
すなわち、車室内後ろ側の天井部分に横架されたホルダーフレームに沿って固定される上クランプ部と、その上クランプ部の長手方向基端部において幅方向に架設された枢軸により回動可能に支持され、上記の上クランプ部と協働してクランプを形成する下クランプ部と、上記の上クランプ部および下クランプ部それぞれの対向面に取着された軟質素材からなる上下一対のクッション部と、上記の上クランプ部の長手方向先端部に設けられ、上記の下クランプ部の長手方向先端部を係合離脱可能に保持するロック部材とで構成される。
かかる技術によれば、釣り竿、とりわけ１ピースや２ピースのルアーロッドの太径側を簡単にズレなくホールドすることができると共に、分割した２ピースロッドのグリップ部とティップセクションの太径部とを同時にしっかりとホールドすることができる。
【先行技術文献】
【非特許文献】
【０００３】
【非特許文献１】株式会社カーメイト、同社ホームページ・ＩＮＮＯ製品情報“ＲＯＤ  ＨＯＬＤＥＲ”、［令和元年５月９日検索］、インターネット＜ＵＲＬ：http://www.innoracks.com/jp/products/fishing/rodholder.html＞
【発明の概要】
【発明が解決しようとする課題】
【０００４】
上記の従来技術には次の問題がある。
すなわち、上記従来の車載用ロッドホルダーでは、上クランプ部がホルダーフレームに固定され、下クランプ部が枢軸により回動可能に支持された構造となっているため、例えば、車載用ロッドホルダーで支持した釣り竿の太径側を取り出すときには、当該ホルダーの下クランプ部が下方へと回動して開くようになる。そうすると、釣り竿が横へ転がり落ちそうになるので、もう片方の手を添えないと不安になるという問題があった。とりわけ、釣り竿のグリップ部に重たいリールを装着していた場合には、釣り竿の太径部の不所望な落下が当該釣り竿の破損につながり易いため、特に慎重にならざるを得ない。
それゆえに、本発明の主たる目的は、様々なサイズおよび種類の釣り竿の太径側をズレなくしっかりとホールドすることができるのに加え、釣り竿の出し入れが簡単で、釣り竿が不所望に落下するのを防止することができる車載用ロッドホルダーを提供することにある。
【課題を解決するための手段】
【０００５】
上記の目的を達成するため、本発明は、例えば、図１から図５に示すように、車室内後ろ側の天井部分に横架されたホルダーフレーム１２に装着され、釣り竿１４の太径側を吊持ちする車載用ロッドホルダー１０を次のように構成した。
すわなち、その上端が上記ホルダーフレーム１２に固定されるアーム部１６と、上記アーム部１６の下端側に一体的に連設され、上記ホルダーフレーム１２への装着状態において上記ホルダーフレーム１２の軸と略平行する方向に延設される下クランプ部１８と、その下クランプ部１８の長手方向基端部において幅方向に架設された枢軸２４と共に回動し、上記の下クランプ部１８と協働して開閉式のクランプを形成する上クランプ部２０とを具備する。上記の上クランプ部２０は、その長手方向先端側が上記の下クランプ部１８から離隔する上方へと跳ね上げられるように常時付勢される。また、上記の下クランプ部１８の長手方向基端部近傍には、上記の枢軸２４に固定されたラチェット歯車２６と、先端に設けられた爪部２８ａが上記ラチェット歯車２６に向けて常時付勢されるロック部材２８とを備え、この両者を係合・離脱させることによって、上記の上クランプ部２０と下クランプ部１８との間の開度を多段階に亘って固定するロック機構２２が設けられる。
【０００６】
本発明の車載用ロッドホルダー１０では、下クランプ部１８が固定である一方、上クランプ部２０がその長手方向先端側を上方へと跳ね上げる方向に常時付勢されて可動するもの、つまり上開き構造のものであるため、爪部２８ａがラチェット歯車２６から離隔するようにロック部材２８をワンプッシュ操作すると、上クランプ部２０の長手方向先端側が最上部へと跳ね上げられ、釣り竿１４の出し入れを快適に行なうことができるようになる。
また、車載用ロッドホルダー１０に釣り竿１４を装着した状態で車を運転している際、不所望にロック機構２２が作動して上クランプ部２０が上方へと跳ね上げられたとしても、固定の下クランプ部１８が釣り竿１４を支えているため、直ちに釣り竿１４が落下する心配もない。
さらに、ロック機構２２によって、上クランプ部２０と下クランプ部１８との間の開度を多段階に亘って固定することができるので、様々な寸法(特に外径)の釣り竿１４に対応することができる。
【０００７】
本発明においては、前記アーム部１６が、前記ホルダーフレーム１２に固定された状態において、その下端部が平面視で上記ホルダーフレーム１２の軸から離隔する方向に曲成されるのが好ましい。
この場合、上開き構造であるにもかかわらず、下クランプ部１８と上クランプ部２０とで形成されるクランプの位置を極力ホルダーフレーム１２側(すなわち天井側)へと近づけることができ、車室内の空間をより有効に利用することができるようになる。
【発明の効果】
【０００８】
本発明によれば、様々なサイズおよび種類の釣り竿の太径側をズレなくしっかりとホールドすることができるのに加え、釣り竿の出し入れが簡単で、釣り竿が不所望に落下するのを防止することができる車載用ロッドホルダーを提供することができる。
【図面の簡単な説明】
【０００９】
【図１】本発明の一実施形態の車載用ロッドホルダーの使用状態を示す図面代用写真である。
【図２】本発明の一実施形態の車載用ロッドホルダーを示す正面図である。
【図３】本発明の一実施形態の車載用ロッドホルダーを示す右側面図である。
【図４】図３におけるＡ−Ａ’線部分断面図である。
【図５】本発明の一実施形態の車載用ロッドホルダーにおいて上クランプ部の長手方向先端部を最上部まで跳ね上げた状態を示す正面図である。
【発明を実施するための形態】
【００１０】
以下、本発明の一実施形態を図１から図５によって説明する。本発明の車載用ロッドホルダー１０は、自動車などの車室内後ろ側の天井部分に横架されたホルダーフレーム１２に装着され、釣り竿１４の太径側を吊持ちするためのもので、アーム部１６、下クランプ部１８、上クランプ部２０およびロック機構２２で大略構成される。
【００１１】
アーム部１６は、車載用ロッドホルダー１０をホルダーフレーム１２に固定するためのものであり、その上端部には、取付対象であるホルダーフレーム１２の形状に応じた所定の係合形状を有する係合取付部１６ａが設けられる。また、この係合取付部１６ａが設けられたアーム部１６上端部の後ろ側には、ホルダーフレーム１２に取り付けたアーム部１６が動かないように固定する回動式のロックレバー１６ｂが取り付けられている。
【００１２】
また、このアーム部１６は、ポリカーボネートやＡＢＳ樹脂などのエンジニアリング・プラスチック或いはアルミニウム合金やステンレスなどの金属材料と言った剛性に優れた材料で形成されており、図示実施形態のものでは、ホルダーフレーム１２に固定された状態において、その下端部が平面視で上記ホルダーフレーム１２の軸から離隔する方向に曲成された略Ｌ字形状の部材になっている(図３参照)。
そして、このアーム部１６下端部先端には、下クランプ部１８が一体的に設けられている。
【００１３】
下クランプ部１８は、車載する釣り竿１４の太径側を下から支えて保持するものであり、ホルダーフレーム１２への装着状態において、そのホルダーフレーム１２の軸と略平行する方向に延設される。
また、この下クランプ部１８の内面には、ＣＲ(クロロプレンゴム)スポンジなどの軟質素材からなるクッション部１８ａが設けられており、アーム部１６との接続箇所に近接する長手方向基端部には、当該下クランプ部１８の幅方向に架設された枢軸２４を介して上クランプ部２０が回動可能に取り付けられる。
さらに、この下クランプ部１８の長手方向基端部には、後述するロック機構２２が取り付けられている。
【００１４】
上クランプ部２０は、下クランプ部１８と協働してクランプを構成し、下クランプ部１８に載置された釣り竿１４の太径側を上から挟持する部材である。この上クランプ部２０は、ポリカーボネートやＡＢＳ樹脂などのエンジニアリング・プラスチック或いはアルミニウム合金やステンレスなどの金属材料と言った剛性に優れた材料を用いて、下クランプ部１８の上面を覆い隠すような形状に形成される。また、その長手方向基端部側が上述した枢軸２４に固定されることによって、この枢軸２４の回動に伴って上クランプ部２０も回動するようになっている。
【００１５】
また、下クランプ部１８と同様に、この上クランプ部２０の内面にも、ＣＲスポンジなどの軟質素材からなるクッション部１８ａが設けられている。
【００１６】
さらに、本実施形態では、枢軸２４に巻回された捻りコイルばね３０の上側先端が上クランプ部２０の長手方向基端部側面の枢軸２４よりも前方やや上部の位置に固定されており、その下側先端が下クランプ部１８の長手方向基端部の枢軸２４よりも下方の位置に固定されている。このため、上クランプ部２０は、この捻りコイルばね３０によって、その長手方向先端側が下クランプ部１８から離隔する上方へと跳ね上げられるように常時付勢されている。
【００１７】
ロック機構２２は、下クランプ部１８と、上方へと跳ね上げられるように常時付勢された上クランプ部２０との間の開度を多段階に亘って固定するもので、枢軸２４の軸方向(幅方向)略中央部分に固定された(＝回転不能にて取り付けられた）ラチェット歯車２６と、これに係合するロック部材２８とを有する（図４参照）。
【００１８】
ロック部材２８は、上端にラチェット歯車２６に噛合する上向きの爪部２８ａが設けられ、下端が下クランプ部１８の長手方向基端部下面に開設されたレバー孔１８ｂから下クランプ部１８の外へと延出されて広幅の操作部２８ｂが形成された略逆Ｌ字状の部材である。
【００１９】
このロック部材２８は、水平方向に延ばされて上部に爪部２８ａが設けられた短辺部分と、鉛直方向に延ばされて下端に操作部２８ｂが設けられた長辺部分との連結部分が、枢軸２４の下方でこれと平行するように架設されたロッド３２に、揺動可能に取り付けられている。また、爪部２８ａが設けられた短辺部分の下面と下クランプ部１８の長手方向基端部内面との間にはコイルばね３４が配設されており、このコイルばね３４の弾発力によって、爪部２８ａがラチェット歯車２６に向けて常時付勢されるようになっている。
【００２０】
以上のように構成された車載用ロッドホルダー１０を使用する際には、まず、車室内後ろ側の天井部分に横架されたホルダーフレーム１２の所定位置にアーム部１６の係合取付部１６ａを係合させた後、ロックレバー１６ｂを押下げて、車載用ロッドホルダー１０を固定する。
【００２１】
次いで、ロック部材２８の操作部２８ｂを下クランプ部１８の長手方向先端側に向けて指で押すと、ロッド部材２８が揺動して爪部２８ａがラチェット歯車２６から離隔する。すると、捻りコイルばね３０の弾発力によって、上クランプ部２０の長手方向先端側が、図５に示すように、下クランプ部１８から離隔する上方へと跳ね上げられる。
【００２２】
そして、操作部２８ｂから指を離し、下クランプ部１８の上に釣り竿１４の太径側を載置した後、上クランプ部２０の長手方向先端部を上から下へと押下げる。すると、爪部２８ａがラチェット歯車２６を乗り越えながら所定の位置まで移動し、下クランプ部１８と上クランプ部２０とで釣り竿１４の太径側を挟持した状態で両者が固定される(図１参照)。
【００２３】
一方、車載用ロッドホルダー１０で保持した釣り竿１４を取り出す際には、ロック部材２８の操作部２８ｂを下クランプ部１８の長手方向先端側に向けて指で押すと、上クランプ部２０の長手方向先端側が上方へと跳ね上げられ、釣り竿１４を片手で簡単に取り出せるようになる。
【００２４】
本実施形態の車載用ロッドホルダー１０によれば、下クランプ部１８が固定である一方、上クランプ部２０の長手方向先端側が上方へと跳ね上げられる上開き構造であるため、不所望にロック機構２２が作動して上クランプ部２０が上方へと跳ね上げられたとしても、固定式の下クランプ部１８が釣り竿１４を支えているため、直ちに釣り竿１４が落下する心配もない。
また、上クランプ部２０と下クランプ部１８との間の開度を、ロック機構２２のラチェット歯車２６の歯数に応じた多段階(図示実施形態では、ラチェット歯車２６の歯数が５つであるため４段階)に固定することができるので、様々な寸法(特に外径)の釣り竿１４に対応することができる。
さらに、ロック部材２８の操作部２８ｂを下クランプ部１８の長手方向先端側に向けて指で押すだけで、上クランプ部２０の長手方向先端側を簡単に上方へと跳ね上げさせることができる。
【００２５】
なお、上述の実施形態では、ロック機構２２のロック部材２８として、上端に上向きの爪部２８ａが設けられ、下端が下クランプ部１８の外へと延出された略逆Ｌ字状の部材であって、短辺部分と長辺部分との連結部分がロッド３２に揺動可能に取り付けられると共に、コイルばね３４によって、爪部２８ａがラチェット歯車２６に向けて常時付勢されるものを示したが、このロック部材２８は、先端に設けられた爪部２８ａがラチェット歯車２６に向けて常時付勢されると共に、使用者の操作によってこの両者の係合・離脱が可能なものであれば、その態様は、上述のものに限定されず、如何なるものであってもよい。
【００２６】
その他に、当業者が想定できる範囲で種々の変更を行えることは勿論である。
【符号の説明】
【００２７】
１０：車載用ロッドホルダー，１２：ホルダーフレーム，１４：釣り竿，１６：アーム部，１８：下クランプ部，２０：上クランプ部，２２：ロック機構，２４：枢軸，２６：ラチェット歯車，２８：ロック部材，２８ａ：爪部．
【図１】
2020202769.tif 000003
【図２】
2020202769.tif 000004
【図３】
2020202769.tif 000005
【図４】
2020202769.tif 000006
【図５】
2020202769.tif 000007